(57)【要約】    【課題】  生じがちな柄部と網枠部との緩みを防止することが可能な玉網を提供する。    【解決手段】  この玉網は、柄部２と、２柄部を構成する複数の筒状体の中で最も先端側に位置する第１筒状体１１の先端側外周面に配置される口栓１０と、第１筒状体１１の先端側に連結される網枠部１とからなる。網枠部１は、輪状の枠と枠の一部に設けられた雄ねじ部１ａとを有する。この雄ねじ部１ａが第１筒状体１１の先端側の雌ねじ部に螺着する。口栓１０は、軸方向に第１筒状体１１が貫通する貫通孔が形成された略円筒型部材であって、その先端側端面が網枠部１を第１筒状体１１に螺着させた際に網枠部１の枠が当接可能な当接面となっている。この当接面には突起が形成されており、網枠部１の緩みを防止している。【選択図】      図２
2005058139.tif 000002
【特許請求の範囲】
【請求項１】
複数の筒状体から構成される柄部と、
前記柄部を構成する複数の筒状体の中で最も先端側に位置する先端筒状体の先端側端部の外周面に配置される口栓と、
前記先端筒状体の先端側に連結される網枠部とを備え、
前記網枠部は輪状の枠と前記枠の一部に設けられた雄ねじ部とを有し、
前記先端筒状体は穂先側端部内に前記雄ねじ部が螺着するための雌ねじ部を有し、
前記口栓は、軸方向に前記先端筒状体が貫通する貫通孔が形成された略円筒型部材であって、その先端側端面が前記網枠部を前記先端筒状体に螺着させた際に前記網枠部の枠が当接可能な当接面となっており、前記当接面に突起が形成されている、玉網。
【請求項２】
前記突起は前記当接面に複数形成されており、ぞれぞれの突起が周方向に等間隔に径方向に延びている、請求項１に記載の玉網。
【請求項３】
前記複数の突起は、それぞれ前記雄ねじ部の前記雌ねじ部に対する締め付け方向と反対の周方向に延びる傾斜部分を有している、請求項２に記載の玉網。
【発明の詳細な説明】
【技術分野】
【０００１】
本発明は魚釣りの際に、仕掛けに係った魚を水中からすくい上げるために用いられる玉網に関する。
【背景技術】
【０００２】
魚釣りを行う際に、釣竿の仕掛けに係った魚を引き上げるために玉網が用いられる。玉網は、環状の枠に袋状の網を取り付けた網枠部と、柄部とから構成されている。
【０００３】
この玉網の柄部は、複数の先細りテーパの施された筒状体を順次振出形式に連結してなるものであり、順次手元側の筒状体内に先端側の筒状体が収納可能となっている。このような玉網では、収納時は玉網の柄部を構成する筒状体を順次手元側に収納したコンパクトな状態としておく。そして、釣竿の仕掛けにかかった魚を釣り上げる際に、網枠部の網を水面に向かって勢いよく差し出し、玉網の柄部の筒状体を順次引き出して長い一本の柄部とし、先端の網の中に魚をすくい入れる。
【０００４】
このような玉網は、運搬時の利便性や網の破損時の交換可能性を考慮して、網枠部と柄部とは脱着自在になっているものが多い。例えば、従来の一般的な玉網では、柄部の穂先側端部の内部を雌ねじ部とし、網枠部の一部に雄ねじ部を設けて、両者を螺着させている。また、柄部の穂先側端部の外周面には上栓（口栓）を装着し、柄部を構成する複数の筒状体を収納した際の栓として利用している（特許文献１参照）。
【特許文献１】特開2000-287582号公報
【発明の開示】
【発明が解決しようとする課題】
【０００５】
上述のように、柄部と網枠部とを螺着させているような従来の玉網において生じる問題の１つに、柄部と網枠部との螺着の緩みがある。魚を網枠部の網の中に取り込み、魚をすくい上げる等の操作を繰り返しているうちに、柄部と網枠部とが捻れて、両者に緩みが生じる場合がある。
【０００６】
本発明は、生じがちな柄部と網枠部との緩みを防止することが可能な玉網を提供するものである。
【課題を解決するための手段】
【０００７】
本発明の玉網は、複数の筒状体から構成される柄部と、柄部を構成する複数の筒状体の中で最も先端側に位置する先端筒状体の先端側端部の外周面に配置される口栓と、先端筒状体の先端側に連結される網枠部とを備えるものである。この網枠部は輪状の枠と枠の一部に設けられた雄ねじ部とを有し、先端筒状体は穂先側端部内に雄ねじ部が螺着するための雌ねじ部を有している。口栓は、軸方向に先端筒状体が貫通する貫通孔が形成された略円筒型部材であって、その先端側端面が網枠部を先端側筒状体に螺着させた際に網枠部の枠が当接可能な当接面となっており、この当接面に突起が形成されている。
【０００８】
この玉網は、網枠部の雄ねじ部を柄部の先端筒状体の雌ねじ部に螺着させて、両者を組み合わせて構成されている。運搬時等においては、両者を分解して持ち運ぶこともできる。網枠部を柄部に取り付ける際、網枠部の雄ねじ部を先端筒状体の雌ねじ部に螺合させてゆくと、最終的に、網枠部の枠が口栓の当接面に当接する。口栓の当接面には突起が形成されており、網枠部の回転を規制する。この突起によって、雌ねじ部に締め込んだ網枠部はみだりに回転することがなく、使用時において、網枠部が柄部から緩み外れてしまうことが防止される。
【０００９】
ある口栓においては、その突起は当接面に複数形成されており、ぞれぞれの突起が周方向に等間隔に径方向に延びているようにしてもよい。
【００１０】
このような口栓にあっては、網枠部を柄部に取り付けた際に、周方向の何れかの突起が網枠部の枠の回転を規制して、その柄部からの緩みを抑える。
【００１１】
また、別の口栓においては、複数の突起は、それぞれ雄ねじ部の雌ねじ部に対する締め付け方向と反対の周方向に延びる傾斜部分を有している。
【００１２】
網枠部の雄ねじ部を先端筒状体の雌ねじ部に締め込んでゆくと、網枠部の枠は最終的には口栓の当接面に当接する。雄ねじ部の締め付け時には、網枠部の枠は傾斜部分に沿って突起を容易に乗り越えられる。他方、突起を乗り越えた網枠部の枠は、突起によって緩み方向への回動が規制され、網枠部は緩み難い。
【発明の効果】
【００１３】
本発明に係る玉網は、使用時において網枠部と柄部との緩みが防止できる。
【発明を実施するための最良の形態】
【００１４】
［第１実施形態］
本発明の第１実施形態について図面を参照しつつ説明する。
【００１５】
本発明の第１実施形態を採用した玉網は、図１に示すように、環状の枠に網が取り付けられた網枠部１とこれに連結される柄部２とからなる。
【００１６】
網枠部１は、ステンレス合金やチタン合金等からなる金属製部材を環状に折り曲げて形成した枠と、ナイロン繊維等から形成された網とを組み合わせたものである。この網が、魚をすくい入れる部分である。網枠部１の枠は、例えば、特定の箇所で折り曲げ可能として、コンパクトに畳めるようなものとしてもよい。また、網枠部１の枠の一部には、柄部２に連結するための連結部である雄ねじ１ａが形成されている（図２参照）。
【００１７】
柄部２は、例えば、４つの筒状体（先端側から順に、第１筒状体１１〜第４筒状体１４と称する）を振出形式に連結して構成されている。筒状体の数はこれに限定されるものではなく、必要な柄部２の全長や、個々の筒状体の軸方向長さ等に応じて、任意に設定されるべきものである。
【００１８】
この柄部２を構成している第１筒状体１１〜第４筒状体１４は、それぞれ炭素繊維等の強化繊維に合成樹脂を含浸させた繊維強化樹脂を芯材に巻回して焼成して製造する先細り筒状部材である。これらは、上述のようにいわゆる振出形式で連結されるため、順次手元側の筒状体内に収納可能である。特に図示しないものの、これらの第１筒状体１１〜第３筒状体１３の手元側端部外周面はそれぞれ各筒状体が先端側に飛び出さないように太径化して「抜け止め」となっている。若しくは、順次各筒状体を先端側に引き出した際に、各筒状体を嵌着可能なように、各筒状体の手元側端部外周面には周知の嵌合部分を形成してもよい。また、最も手元側に位置する太径の第４筒状体１４には、竿元側端部に底栓３が脱着自在に装着される。例えば、第４筒状体１４の手元側端部内周面にねじ溝を形成して、ここに底栓３を螺着させる。第１筒状体１１〜第４筒状体１４を振出形式に組み立てる際には、この底栓３を第４筒状体１４から取り外して、各筒状体を順次第４筒状体１４に組み込む。
【００１９】
図２に詳しく示すように、最も先端側に位置する小径の第１筒状体１１には、先端側端部内周面にねじ溝が形成されて雌ねじ部となっている（図３参照）。第１筒状体１１の内周面に直接ねじ溝を形成しても良いが、別途、ナット部材を第１筒状体１１の内周面に内嵌させてもよい。この雌ねじ部に上述の網枠部１の雄ねじ部１ａが連結されることになる。
【００２０】
また、第１筒状体１１の先端側端部外周面には口栓１０が装着されている。図２及び図４に詳しく示すように、この口栓１０は、軸方向に第１筒状体１１が貫通するための貫通孔が設けられた本体部１１を有するゴム製の部材である。例えば、NBRなどのゴムから構成される。そのゴム硬度は好ましくは７０±５程度に設定する。本体部１１は先端側に位置する鍔状部分１２と、鍔状部分１２の手元側に鍔状部分１２より小径である嵌着部分１３に区分される。鍔状部分１２は第４筒状体１４の先端側の外径よりやや大きめの外径を有する円盤形の部分である。他方、嵌着部分１３は、手元側ほど徐々に小径化するようなテーパ面となっている。嵌着部分１３はその外径を第４筒状体１４の穂先側の内径にあわせて調整されており、図１に示すように、柄部２を振出形式に収納した際に、口栓１０と第４筒状体１４とが嵌着して、栓となる。各筒状体の先端側への無用な飛び出しを防止する趣旨である。この嵌着部分１３の周面には軸方向に延びる複数の溝を周方向に間隔を隔てて複数形成してある。第４筒状体１４と嵌着部分１３との固着を防ぐためのものである。
【００２１】
なお、この口栓１０は、第１筒状体１１の周面に接着剤等で固定されるが、第１筒状体１１に対して脱着自在としてもよい。このように口栓１０を第１筒状体１１に対して脱着自在とするためには、第１筒状体１１の先端側外周面の塗装面を荒らして於くのがよい。
【００２２】
この口栓１０の先端側端面（即ち、鍔部分１２の先端側の端面）は、第１筒状体１１の先端側端部に位置することになる。図４に示すように、この口栓１０の先端側端面には、複数の突起１４が周方向に等間隔に離れて形成されている。突起１４はそれぞれ当該端面の径方向に延びている。より詳しくは、突起１４は、当該端面に６〜８個程度、周方向に間隔を隔てて、貫通孔の周辺に放射状に延びている。個々の突起１４は当該端面の中心に点対称に形成されている。個々の突起１４は、最も高い（即ち、当該端面から先端側方向への距離が最も長い）部分である堤部分１４ａと、堤部分１４ａから周方向に延びる傾斜部分１４ｂとに区分される。その高さは２〜５ｍｍ程度である。この高さはゴム硬度によっても左右されるが、最も好ましくは３．５ｍｍ程度である。傾斜部分１４ｂは堤部分１４ａより徐々に低くなるテーパ部分である。網枠部１の雄ねじ部１ａの第１筒状体１１への締め付け方向と反対方向に向かって、傾斜部分１４ｂは堤部分１４ａから延びている。このテーパ部分には網枠部１の枠の形状にあわせてＲをつけても良い。例えば、網枠部１の枠にあわせて、このＲはＲ２．５〜４程度とするのが好ましい。
【００２３】
このような玉網の柄部２と網枠部１とを組み合わせた玉網は、使用時には、各筒状体を先端側に引き出して一本の長い柄部２を有する玉網として利用される。一方、収納時に於いては、第１筒状体１１から順次手元側に位置する各筒状体内に振出形式に各筒状体が収納されて、最終的には、最も手元側に位置する第４筒状体１４内に全ての筒状体が収納されたコンパクトな状態となる。上述のように、このコンパクトに各筒状体を収納した状態では、口栓１０の嵌着部分１３を第４筒状体１４の先端側に嵌着させて栓をする。
【００２４】
網枠部１と柄部２との連結は、網枠部１の雄ねじ部１ａを第１筒状体１１の雌ねじ部に螺着させることによって行う。雄ねじ部１ａを第１筒状体１１に締め込んでゆくと、最終的には、網枠部１の枠が口栓１０の先端側端面に当接する（当該端面が受け部となっている）。口栓に当接した枠は傾斜部分１４ｂのテーパ面に沿って堤部分１４ａを乗り越え、適当な位置で止まる（図４参照）。玉網の使用時に、雄ねじ部１ａが緩む方向に捻れる力が網枠部１若しくは柄部２に加わっても、堤部分１４ａが「返し」となって、雄ねじ部１ａは緩まない。
【００２５】
［他の実施形態］
上記実施形態においては、堤部分と傾斜部分とを有するような突起を口栓に形成しているが、これに限定されるものではない。口栓の先端側端面にランダムに凹凸を形成してもよい。
【００２６】
また、図５に示すように、当該口栓の先端側端面を加工してもよい。即ち、口栓２０の先端側端面を、ある周方向位置Ａから、周方向において徐々にその高さが変化するような傾斜面とし、一周した後に、当該周方向位置Ａに段差を形成しておく。この周方向の高さの変化方向は、網枠部の雄ねじ部の第１筒状体への締め付け方向と反対方向である。即ち、この例は、当該口栓２０の先端側端面を全体において１つの突起としたものである。
【図面の簡単な説明】
【００２７】
【図１】本発明の第１実施形態を採用した玉網を示した図。
【図２】図１の玉網の口栓１０付近の拡大図。
【図３】図１の玉網の第１筒状体１１の先端側端部の断面図。
【図４】口栓１０の参照図。
【図５】他の実施形態を採用した口栓２０を示した図。
【符号の説明】
【００２８】
１  網枠部
２  柄部
１０，２０  口栓
１４  突起
【図１】
2005058139.tif 000003
【図２】
2005058139.tif 000004
【図３】
2005058139.tif 000005
【図４】
2005058139.tif 000006
【図５】
2005058139.tif 000007